(57)【要約】【課題】結露水が屋内側へ漏れ出てくることを抑制できる二重サッシを提供する。【解決手段】二重サッシ１００では、設置体６０は、開口部の上縁部に沿って配置された上部材６１と、上枠４１に沿って配置された下部材６２と、上部材６１と下部材６２とを連結し、内部に空間部Ｒ２が形成された連結部材６３と、を有し、上枠４１は、下部材６２に下側固定螺子４３９で固定され、下側固定螺子４３９は、連結部材６３の空間部Ｒ２に挿入配置されていることを特徴とする。【選択図】図５
2019120023.tif 000002
【特許請求の範囲】
【請求項１】
建築物の開口部に設置され、外窓及び該外窓の屋内側に配置された内窓を備えた二重サッシであって、
前記内窓は、
前記開口部の上縁部の下方に隙間を有して設けられた枠体と、
前記開口部の前記上縁部と前記枠体の上枠との間に形成された前記隙間に設けられた設置体と、
前記枠体内に設けられた障子と、を有し、
前記設置体は、
前記開口部の前記上縁部に沿って配置された上部材と、
前記上枠に沿って配置された下部材と、
前記上部材と前記下部材とを連結し、内部に空間部が形成された連結部材と、を有し、
前記上枠は、前記下部材に下側固定螺子で固定され、
該下側固定螺子は、前記連結部材の前記空間部に挿入配置されていることを特徴とする二重サッシ。
【請求項２】
前記上枠は、前記下部材と前記上枠とを連結する下側固定螺子が挿通される挿通孔を有し、
該挿通孔は、平面視で、前記連結部材の前記空間部と重なって配置されている請求項１に記載の二重サッシ。
【請求項３】
前記上部材は、前記開口部の前記上縁部に上側固定螺子で固定され、
前記上側固定螺子は、前記連結部材で覆われている請求項１または２に記載の二重サッシ。
【請求項４】
前記下部材には、前記上側固定螺子の直下に、該上側固定螺子の固定作業用の貫通孔が形成され、
該貫通孔は、平面視で、前記下側固定螺子と異なる位置に形成されている請求項３に記載の二重サッシ。
【請求項５】
前記設置体は、
左右方向を軸線方向として前記上部材に回動可能に設けられた弁部を有し、
前記弁部は、前記上部材と前記下部材との間を閉塞した状態から、前記上部材と前記下部材との間を開放した状態まで回動可能である請求項１から４のいずれか一項に記載の二重サッシ。
【請求項６】
前記下部材と前記連結部材との間には、止水材が設けられている請求項１から５のいずれか一項に記載の二重サッシ。
【発明の詳細な説明】
【技術分野】
【０００１】
本発明は、二重サッシに関するものである。
【背景技術】
【０００２】
従来から、防音性や断熱性の向上のために、建築物の開口部に外窓及び内窓を設けた二重サッシが知られている。また、内窓の上枠の上方等に、屋内外の空気の流通を可能とする換気部材を設けたものが提案されている（例えば、特許文献１参照）。内窓の上枠の上方に換気部材を設置する際には、上枠を換気部材に螺子等で取り付けることがある。
【先行技術文献】
【特許文献】
【０００３】
【特許文献１】特開２０１３−２０９８７６号公報
【発明の概要】
【発明が解決しようとする課題】
【０００４】
ところで、換気部材内は空気の流入があるため、換気部材が金属材料で形成されている場合には、結露が生じやすい。このため、換気部材に螺合された上枠の固定螺子孔を介して、結露水が屋内側に漏れる虞がある。
【０００５】
そこで、本発明は、上記事情に鑑みてなされたものであり、結露水が屋内側へ漏れ出てくることを抑制できる二重サッシを提供する。
【課題を解決するための手段】
【０００６】
上記目的を達成するために、本発明は以下の手段を採用している。
すなわち、本発明に係る二重サッシは、建築物の開口部に設置され、外窓及び該外窓の屋内側に配置された内窓を備えた二重サッシであって、前記内窓は、前記開口部の上縁部の下方に隙間を有して設けられた枠体と、前記開口部の前記上縁部と前記枠体の上枠との間に形成された前記隙間に設けられた設置体と、前記枠体内に設けられた障子と、を有し、前記設置体は、前記開口部の前記上縁部に沿って配置された上部材と、前記上枠に沿って配置された下部材と、前記上部材と前記下部材とを連結し、内部に空間部が形成された連結部材と、を有し、前記上枠は、前記下部材に下側固定螺子で固定され、該下側固定螺子は、前記連結部材の前記空間部に挿入配置されていることを特徴とする。
【０００７】
このように構成された二重サッシでは、開口部の上縁部と枠体の上枠との間に形成された隙間には、設置体が設けられている。開口部の上縁部に沿って上部材が配置され、上枠に沿って下部材が配置され、上部材と下部材とは連結部材で連結されている。連結部材の内部には空間部が形成され、上枠を下部材に固定する下側固定螺子は空間部に挿入配置されている。下側固定螺子の上部は空間部に挿通されているため、下側固定螺子を介して結露水が屋内側に漏れ出てくることが抑制される。
【０００８】
また、本発明に係る二重サッシでは、前記上枠は、前記下部材と前記上枠とを連結する下側固定螺子が挿通される挿通孔を有し、該挿通孔は、平面視で、前記連結部材の前記空間部と重なって配置されていることが好ましい。
【０００９】
このように構成された二重サッシでは、下部材と連結する下側固定螺子が挿通される挿通孔は、平面視で、連結部材の空間部と重なって配置されている。よって、挿通孔から結露水が屋内側に漏れ出てくることが抑制される。
【００１０】
また、本発明に係る二重サッシでは、前記上部材は、前記開口部の前記上縁部に上側固定螺子で固定され、前記上側固定螺子は、前記連結部材で覆われていてもよい。
【００１１】
このように構成された二重サッシでは、上部材を開口部の上縁部に固定する上側固定螺子は、連結部材で覆われている。上側固定螺子の下部は空間部に挿通されているため、上側固定螺子や螺子孔を介して結露水が屋内側に漏れ出てくることが抑制される。
【００１２】
また、本発明に係る二重サッシでは、前記下部材には、前記上側固定螺子の直下に、該上側固定螺子の固定作業用の貫通孔が形成され、該貫通孔は、平面視で、前記下側固定螺子と異なる位置に形成されていてもよい。
【００１３】
このように構成された二重サッシでは、下部材に形成された上側固定螺子の固定作業用の貫通孔は、平面視で、下側固定螺子と異なる位置に形成されている。通常、固定作業用の貫通孔は螺子孔よりも大きすぎたりするため螺子を螺合させることができないところ、固定作業用の貫通孔が下側固定螺子の螺子止め位置とは異なる位置に形成されているため、下側固定螺子を貫通孔とは異なる孔に螺合させることができる。
【００１４】
また、本発明に係る二重サッシでは、前記設置体は、左右方向を軸線方向として前記上部材に回動可能に設けられた弁部を有し、前記弁部は、前記上部材と前記下部材との間を閉塞した状態から、前記上部材と前記下部材との間を開放した状態まで回動可能であってもよい。
【００１５】
このように構成された二重サッシでは、上部材に設けられた弁部に圧力等が作用すると、弁部が左右方向を軸線方向として回動して、上部材と下部材との間が開放され、空気を屋内外方向に流通させることができる。
【００１６】
また、本発明に係る二重サッシでは、前記下部材と前記連結部材との間には、止水材が設けられていてもよい。
【００１７】
このように構成された二重サッシでは、下部材と連結部材との間には、止水材が設けられていているため、下側固定螺子を介して結露水が屋内側に漏れ出てくることがより一層抑制される。
【発明の効果】
【００１８】
本発明に係る二重サッシによれば、結露水の屋内側への漏れ出しを抑制することができる。
【図面の簡単な説明】
【００１９】
【図１】本発明の一実施形態に係る二重サッシを屋内側から見た正面図である。
【図２】図１のＡ−Ａ線断面図である。
【図３】図１のＢ−Ｂ線断面図である。
【図４】図２のＣ部拡大図である。
【図５】図２のＤ部拡大図である。
【図６】本発明の一実施形態に係る二重サッシの設置体の構成を示し、図５の上部に相当する図である。
【図７】本発明の一実施形態に係る二重サッシの設置体の構成を示す分解斜視図である。
【図８】本発明の一実施形態に係る二重サッシの設置体の下部の構成を示す分解斜視図である。
【図９】図５のＥ−Ｅ線断面図であり、設置体の構成を示している。
【図１０】図９のＦ矢視図である。
【図１１】本発明の一実施形態に係る二重サッシの設置体の弁部を示す図であり、（ａ）左側（または右側）から見た図であり、（ｂ）屋内側（または屋外側）から見た図である。
【図１２】本発明の一実施形態に係る二重サッシの外窓において、負圧が生じた際の挙動を示す図である。
【図１３】本発明の一実施形態の変形例１に係る二重サッシの設置体の一部を示す斜視図である。
【図１４】本発明の一実施形態の変形例２に係る二重サッシの設置体の一部を示す斜視図である。
【発明を実施するための形態】
【００２０】
以下、本発明の一実施形態に係る二重サッシについて、図１から図１２に基づいて説明する。
図１は、本発明の一実施形態に係る二重サッシを屋内側から見た正面図である。図２は、図１のＡ−Ａ線断面図である。図３は、図１のＢ−Ｂ線断面図である。
図１から図３に示すように、二重サッシ１００は、建築物の壁部Ｗの開口部Ｐに設けられ、屋外側に配置された外窓１と、屋内側に配置された内窓４と、を備えている。
なお、以下の説明において、屋外側と屋内側とを結ぶ方向を屋内外方向と称する。また、屋内外方向と直交する方向のうち水平方向に沿う方向を左右方向と称する。また、屋内側から見て左側、右側を、それぞれ左側、右側と称する。
【００２１】
図２及び図３に示すように、外窓１は、開口部Ｐに設けられ四角形枠状に形成された枠体１０と、枠体１０に対して左右方向にスライド可能に設けられた外障子２０Ａ、内障子２０Ｂ及び網戸３０と、を有している。外窓１は、いわゆる引違いサッシである。
【００２２】
枠体１０は、左右方向に延在する上枠１１及び下枠１２と、上枠１１の両端部と下枠１２の両端部とをそれぞれ連結し上下方向に延在する縦枠１３と、を有している。本実施形態では、枠体１０は、アルミ製の押出成形部材で構成されている。
【００２３】
外障子２０Ａは枠体１０の屋外側に設けられ、内障子２０Ｂは枠体１０の屋内側に設けられている。外障子２０Ａ及び内障子２０Ｂが閉じた状態で、外障子２０Ａ及び内障子２０Ｂが枠体１０内を閉塞するように配置されている。外障子２０Ａ及び内障子２０Ｂは、それぞれ四方枠状に形成された框体２１と、框体２１内に納められたガラス２９と、を有している。
【００２４】
各框体２１は、左右方向に延在する上框２２及び下框２３と、上框２２の両端部と下框２３の両端部とをそれぞれ連結し上下方向に延在する戸先框２４及び召合せ框２５と、を有している。本実施形態では、框体２１は、アルミ製の押出成形部材で構成されている。
【００２５】
各框２２，２３，２４，２５においてガラス２９側を向く各端面（内周面）には、外方に向かって凹むガラス保持溝２７が形成されている。ガラス保持溝２７内には、ガラス２９の周縁部が嵌め込まれている。
【００２６】
外障子２０Ａと内障子２０Ｂとは、互いの召合せ框２５に設けられたクレセント錠（不図示）をロックすることによりスライド移動がロックされ、クレセント錠を解除することによりスライド移動が可能となるように構成されている。
【００２７】
網戸３０は、四方枠状に形成された網戸框体３１と、網戸框体３１内に設けられた網戸本体３９とを有している。網戸框体３１は、左右方向に延在する網戸上框３２及び網戸下框３３と、網戸上框３２の両端部と網戸下框３３の両端部とをそれぞれ連結し上下方向に延在する網戸縦框３４と、を有している。
【００２８】
図１に示すように、内窓４は、開口部Ｐの上縁部に沿って設けられた換気ユニット６と、四角形枠状に形成された枠体４０と、枠体４０に対して左右方向にスライド可能に設けられた外障子５０Ａ及び内障子５０Ｂと、を有している。内窓４は、いわゆる引違いサッシである。
【００２９】
図２及び図３に示すように、枠体４０は、左右方向に延在する上枠４１及び下枠４２と、上枠４１の両端部と下枠４２の両端部とをそれぞれ連結し上下方向に延在する縦枠４３と、を有している。本実施形態では、枠体４０は、合成樹脂製の押出成形部材で構成されている。
【００３０】
外障子５０Ａは枠体４０の屋外側に設けられ、内障子５０Ｂは枠体４０の屋内側に設けられている。外障子５０Ａ及び内障子５０Ｂが閉じた状態で、外障子５０Ａ及び内障子５０Ｂが枠体４０内を閉塞するように配置されている。外障子５０Ａ及び内障子５０Ｂは、それぞれ四方枠状に形成された框体５１と、框体５１内に納められたガラス５９と、を有している。
【００３１】
各框体５１は、左右方向に延在する上框５２及び下框５３と、上框５２の両端部と下框５３の両端部とをそれぞれ連結し上下方向に延在する戸先框５４及び召合せ框５５と、を有している。本実施形態では、框体５１は、合成樹脂製の押出成形部材で構成されている。
【００３２】
図２及び図３に示すように、各框５２，５３，５４，５５においてガラス５９側を向く各端面（内周面）には、外方に向かって凹むガラス保持溝５７が形成されている。ガラス保持溝５７内には、ガラス５９の周縁部が嵌め込まれている。
【００３３】
外障子５０Ａと内障子５０Ｂとは、互いの召合せ框５５に設けられたクレセント錠５５０（図１参照。以下同じ。）をロックすることによりスライド移動がロックされ、クレセント錠５５０を解除することによりスライド移動が可能となるように構成されている。
【００３４】
次に、各部の構成について詳細に説明する。
まず、外窓１の上枠１１について説明する。
図４は、図２のＣ部拡大図である。
図４に示すように、上枠１１は、上枠板部１１１と、上枠板部１１１から下方に延びる網戸突出枠壁部１１２、屋外側突出枠壁部１１３、屋内側突出枠壁部１１４及び下向き枠壁部１１５と、を有している。網戸突出枠壁部１１２、屋外側突出枠壁部１１３、屋内側突出枠壁部１１４、下向き枠壁部１１５は、この順に屋外側から屋内側に向かって配置されている。
【００３５】
上枠板部１１１は、平板状に形成され、板厚方向を上下方向に向けて配置されている。上枠板部１１１は、建築物の躯体Ｑに螺子等で固定されている。
【００３６】
網戸突出枠壁部１１２、屋外側突出枠壁部１１３、屋内側突出枠壁部１１４及び下向き枠壁部１１５は、平板状に形成され、板厚方向を屋内外方向に向けて配置されている。
【００３７】
下向き枠壁部１１５の下端部には、屋内側に向けて延びる取付壁部１１６が設けられている。取付壁部１１６は、平板状に形成され、板厚方向を上下方向に向けて配置されている。取付壁部１１６は、開口部Ｐの上端に設けられた上額縁Ｒの下面に螺子等で固定されている。
【００３８】
次に、外窓１の外障子２０Ａの上框２２について説明する。
上框２２は、屋外側に配置される上外板部２２１と、屋内側に配置される上内板部２２２と、上外板部２２１と上内板部２２２とを連結する上連結板部２２３と、を有している。
【００３９】
上外板部２２１及び上内板部２２２は、平板状に形成され、板厚方向を屋内外方向に向けて配置されている。
【００４０】
上連結板部２２３は、上外板部２２１の上下方向の中間と上内板部２２２の上下方向の中間とを連結している。
【００４１】
上外板部２２１の上部には、屋内側に向かって延びる一対の延出壁部２２６，２２７が設けられている。一対の延出壁部２２６，２２７は、上下方向に間隔を有して配置されている。延出壁部２２６は、延出壁部２２７の上方に配置されている。
【００４２】
延出壁部２２６の屋内側の端部には、下方に延びる下向き係止片２２６ａが設けられている。延出壁部２２７の屋内側の端部には、上方に延びる上向き係止片２２７ａが設けられている。
【００４３】
上外板部２２１の上端部には、気密材２２９が設けられている。気密材２２９は、上外板部２２１及び延出壁部２２６，２２７で囲まれた空間内に設けられる固定部２２９ａと、固定部２２９ａから屋内側に延びる気密片２２９ｂと、を有している。気密片２２９ｂの屋内側の端部は、上枠１１の屋外側突出枠壁部１１３の屋外側の面に当接している。上内板部２２２には、気密材が設けられていない。
【００４４】
外窓１の内障子２０Ｂの上框２２の構成は、外障子２０Ａの上框２２の構成と同様であり、同様に構成については同一の符号を付して説明を省略する。外窓１の内障子２０Ｂにも、気密材２２９が設けられている。内障子２０Ｂに設けられた気密片２２９ｂの屋内側の端部は、上枠１１の屋内側突出枠壁部１１４の屋外側の面に当接している。内障子２０Ｂの上内板部２２２には、気密材が設けられていない。
【００４５】
次に、外窓１の外障子２０Ａの戸先框２４（図３参照。以下同じ。）及び召合せ框２５（図３参照。以下同じ。）に設けられた振れ止め部材２２４について説明する。
【００４６】
図３に示すように、戸先框２４及び召合せ框２５には、それぞれ内部に上下方向全体にわたって框空間部Ｔ１が形成されている。框空間部Ｔ１の上端部には、それぞれ振れ止め部材２２４（図４参照）が挿入配置されている。
【００４７】
図４に示すように、各振れ止め部材２２４は、框空間部Ｔ１（図３参照。以下同じ。）内で屋外側に配置された屋外側振れ止め部２２４ａと、框空間部Ｔ１内で屋内側に配置された屋内側振れ止め部２２４ｃと、屋外側振れ止め部２２４ａの下端部と屋内側振れ止め部２２４ｃの下端部とを連結する下部振れ止め部２２４ｂと、を有している。屋外側振れ止め部２２４ａ、屋内側振れ止め部２２４ｃ及び下部振れ止め部２２４ｂは、一体として形成されている。屋外側振れ止め部２２４ａと屋内側振れ止め部２２４ｃとの間に、上枠１１の屋外側突出枠壁部１１３が配置されている。屋外側振れ止め部２２４ａと屋内側振れ止め部２２４ｃとで屋外側突出枠壁部１１３を屋内外方向に挟み込むことで、外障子２０Ａの屋内外方向の移動が規制されている。
【００４８】
次に、外窓１の内障子２０Ｂの戸先框２４及び召合せ框２５に設けられた振れ止め部材２２５について説明する。
【００４９】
各振れ止め部材２２５は、框空間部Ｔ１内で屋外側に配置された屋外側振れ止め部２２５ａと、框空間部Ｔ１内で屋内側に配置された屋内側振れ止め部２２５ｃと、屋外側振れ止め部２２５ａの下端部と屋内側振れ止め部２２５ｃの下端部とを連結する下部振れ止め部（不図示）と、を有している。屋外側振れ止め部２２５ａ、屋内側振れ止め部２２５ｃ及び下部振れ止め部は、一体として形成されている。屋外側振れ止め部２２５ａと屋内側振れ止め部２２５ｃとの間に、上枠１１の屋内側突出枠壁部１１４が配置されている。屋外側振れ止め部２２５ａと屋内側振れ止め部２２５ｃとで屋内側突出枠壁部１１４を屋内外方向に挟み込むことで、内障子２０Ｂの屋内外方向の移動が規制されている。
【００５０】
次に、外窓１の網戸縦框３４（図３参照。以下同じ。）について説明する。
網戸縦框３４の上端部には、上端部から下方に向かって凹む係合溝３２１が形成された網戸振れ止め部３２２が設けられている。係合溝３２１内に、外窓１の上枠１１の網戸突出枠壁部１１２が配置され、網戸３０の屋内外方向の移動が規制されている。
【００５１】
次に、内窓４の換気ユニット６について説明する。
図５は、図２のＤ部拡大図である。図６は、二重サッシ１００の第二換気部の構成を示し、図５の上部に相当する図である。
図５及び図６に示すように、換気ユニット６は、開口部Ｐに設けられる上額縁（開口部の上縁部）Ｒと、上額縁Ｒの下方に設けられる上枠４１との間の隙間Ｒ１に設置されている。換気ユニット６は、開口部Ｐの左右方向の略全長に設置されている。換気ユニット６は、換気機構（設置体）６０と、カバー体７０と、を有している。
【００５２】
換気機構６０は、上フレーム（上部材）６１と、下フレーム（下部材）６２と、方立（連結部材）６３と、第一回動弁体６４（図５参照。）と、第二回動弁体６６（図６参照。）と、を有している。上フレーム６１、下フレーム６２、方立６３、第一回動弁体６４及び第二回動弁体６６は、アルミニウム等の金属部材で構成されている。
【００５３】
図５に示すように、上フレーム６１は、上額縁部Ｒの下面に沿って配置され、上額縁Ｒの左右方向にわたって設けられている。
【００５４】
図７は、換気機構６０の構成を示す分解斜視図である。
図７に示すように、上フレーム６１は、上額縁Ｒ（図５参照。以下同じ。）の下面に沿って配置される上フレーム板部６１１を有している。上フレーム板部６１１は、平板状に形成され、板厚方向を上下方向に向けて配置されている。図５に示すように、上フレーム板部６１１は、下方から上額縁Ｒに螺子（上側固定螺子）６１２で螺合されている。螺子６１２のねじ頭は、後述する方立６３で覆われている。
【００５５】
図７に示すように、上フレーム板部６１１の上面には、上方に突出する上向き片６１３が、屋内外方向に間隔を有して複数設けられている。上向き片６１３は、上フレーム板部６１１の屋内側の端部、屋外側の端部及び屋内外方向の中間に複数箇所設けられている。
【００５６】
上フレーム板部６１１の屋外側の端部には、下方に突出する下向き片６１４が設けられている。上フレーム板部６１１の屋外側の端部では、上向き片６１３と下向き片６１４とが上下方向に連続して形成されている。
【００５７】
上フレーム板部６１１の下面には、下方に突出する下向き壁部６１６，６１７が屋内側方向に間隔を有して一対設けられている。下向き壁部６１６は、下向き壁部６１７よりも屋外側に配置されている。
【００５８】
下向き壁部６１６の下端部には、屋内側に向かって延びる係止壁部６１８が設けられている。下向き壁部６１７の下端部には、屋外側に向かって延びる係止壁部６１９が設けられている。
【００５９】
上フレーム板部６１１には、上下方向に貫通する複数の取付孔６１１ａ，６１１ｂが形成されている。取付孔６１１ａ，６１１ｂは、この順に屋外側から屋内側に向かって配置されている。
【００６０】
図５に示すように、下フレーム６２は、上枠４１の上面に沿って配置され、上枠４１の左右方向にわたって設けられている。
【００６１】
図７に示すように、下フレーム６２は、上枠４１（図５参照。以下同じ。）の上面に沿って配置される下フレーム板部６２１を有している。下フレーム板部６２１は、平板状に形成され、板厚方向を上下方向に向けて配置されている。
【００６２】
図８は、換気機構６０の下部の構成を示す分解斜視図である。なお、図８において、第一回動弁体６４及び第二回動弁体６６の図示を省略している。
図８に示すように、下フレーム板部６２１の上面には、上方に突出する上向きリブ６２２が、左右方向に間隔を有して複数設けられている。上向きリブ６２２は、下フレーム板部６２１と一体として設けられている。
【００６３】
各上向きリブ６２２は、平板状に形成され、板厚方向を屋内外方向に向けて配置されている。複数の上向きリブ６２２は、鉛直方向且つ左右方向に沿う同一平面上に配置されている。隣り合う上向きリブ６２２の間には、詳細については後述する方立６３及びシート材６２９が配置される。
【００６４】
下フレーム板部６２１の下面には、下方に突出する下向き片６２３が、屋内外方向に間隔を有して複数設けられている。下向き片６２３は、下フレーム板部６２１の屋内側の端部、屋外側の端部及び屋内外方向の中間に複数箇所設けられている。
【００６５】
下フレーム板部６２１の屋外側の端部には、上方に突出する上向き片６２４が設けられている。下フレーム板部６２１の屋外側の端部では、下向き片６２３と上向き片６２４とが上下方向に連続して形成されている。
【００６６】
下フレーム板部６２１には、上下方向に貫通する複数の取付孔６２１ａ、作業用孔（貫通孔）６２１ｂ及び取付孔６２１ｃが形成されている。取付孔６２１ａ、作業用孔６２１ｂ及び取付孔６２１ｃは、この順に屋外側から屋内側に向かって配置されている。
【００６７】
作業用孔６２１ｂは、取付孔６２１ａ，６２１ｃよりも大きく形成されている。作業用孔６２１ｂは、上フレーム６１を上額縁Ｒに取り付けるための螺子６１２（図５参照。以下同じ。）を直上に挿通させるためのものである。
【００６８】
下フレーム板部６２１の上面において、上向きリブ６２２間には、シート材６２９が設けられている。
【００６９】
シート材６２９は、後述する方立６３の空間部Ｒ２に対応した平面形状をなしている。シート材は、シーラー等の止水性、気密性が高い材料（止水材）が採用されている。
【００７０】
シート材６２９には、上下方向に貫通する取付孔６２９ａ、貫通孔６２９ｂ及び取付孔６２９ｃが形成されている。取付孔６２９ａ、貫通孔６２９ｂ及び取付孔６２９ｃは、この順に屋外側から屋内側に向かって配置されている。
【００７１】
貫通孔６２９ｂは、平面視矩形状に形成されている。貫通孔６２９ｂは、上フレーム６１を上額縁Ｒに取り付けるための螺子６１２を直上に挿通させるとともに、螺子４３９の先端部を挿通させるためのものである。
【００７２】
方立６３は、シート材６２９の上面に設けられている。方立６３は、角筒状に形成された角筒状部６３１を有している。方立６３の内部には、上下方向に貫通する空間部Ｒ２が形成されている。
【００７３】
図９は、図５のＥ−Ｅ線断面図であり、換気ユニット６の構成を示している。図１０は、図９のＦ矢視図である。
図９及び図１０に示すように、方立６３は、下フレーム６２の左右方向に間隔を有して複数設けられている。方立６３は、隣り合う第一回動弁体６４と第二回動弁体６６とを区画するように配置されている。方立６３は、下フレーム６２に左右方向に間隔を有して配置された上向きリブ６２２の間に配置されている。本実施形態では、方立６３は、下フレーム６２の左右方向の両端部及び左右方向の中間に２箇所の４箇所に設けられている。
【００７４】
図８に示すように、角筒状部６３１は、左右方向に対向配置された一対の側壁部６３２と、屋内外方向に対向配置された一対の前後壁部６３３と、を有している。
【００７５】
各側壁部６３２の外面には、対向する側壁部６３２側と反対側（側方）に向かって突出する側方リブ６３４が設けられている。側方リブ６３４は、側壁部６３２と一体として設けられている。
【００７６】
図７に示すように、側方リブ６３４は、平板状に形成され、板厚方向を屋内外方向に向けて配置されている。側方リブ６３４は、上向きリブ６２２の左右方向の端部の上方に当接配置されている。なお、側方リブの左右方向の端部に、上向きリブの左右方向の端部が当接するように構成されていてもよい。
【００７７】
前後壁部６３３の内面には、対向する前後壁部６３３側に向かって突出するように螺子螺合部６３９が設けられている。
【００７８】
図８に示すように、下フレーム６２の取付孔６２１ａ，６２１ｃにそれぞれ挿通された螺子６２１ｄ，６２１ｅは、方立６３の螺子螺合部６３９の下部に螺合されている。
【００７９】
図７に示すように、上フレーム６１の取付孔６１１ａ，６１１ｂにそれぞれ挿通された螺子６１１ｃ，６１１ｄは、方立６３の螺子螺合部６３９の上部に螺合されている。
【００８０】
図８に示すように、後述する下枠４２の取付孔（挿通孔）４３６に挿通された螺子（下側固定螺子、ドリル螺子）４３９は、下フレーム６２の下フレーム板部６２１に螺合されている。螺子４３９はシート材６２９の貫通孔６２９ｂを貫通して、先端部が方立６３の空間部Ｒ２に挿入配置されている。換言すると、平面視で、螺子４３９は、方立６３の空間部Ｒ２と重なって配置されている。
【００８１】
図５に示すように、方立６３の前後壁部６３３の上部に沿って、上フレーム６１の下向き片６１４が設けられている。方立６３の前後壁部６３３の下部に沿って、下フレーム６２の上向き片６２４が設けられている。換言すると、上フレーム６１及び下フレーム６２に対して、方立６３及びシート材６２９（図８参照）は屋外側寄りに配置されている。
【００８２】
図９及び図１０に示すように、第一回動弁体６４は、上フレーム６１及び下フレーム６２の左右方向の中間に配置された２箇所の方立６３Ａ間に配置されている。第二回動弁体６６は、上フレーム６１及び下フレーム６２の左右方向の両端部に配置された方立６３Ｂと方立６３Ａとの間に配置されている。つまり、第一回動弁体６４と第二回動弁体６６とは、左右方向の位置を異ならせて配置されている。第一回動弁体６４は屋外側に開くものであり、第二回動弁体６６は屋内側に開くものである（図９の矢印参照）。
【００８３】
図７に示すように、第一回動弁体６４は、係止壁部６１８，６１９に係止された軸受け部６４０と、軸受け部６４０に回動可能に支持された弁部６５０と、を有している。
【００８４】
軸受け部６４０は、左右方向に延びている。軸受け部６４０は、上フレーム６１の上フレーム板部６１１の下面に沿って配置される基板部６４１と、基板部６４１から下方に延びる一対の支持壁部６４２，６４３と、を有している。
【００８５】
支持壁部６４２は、支持壁部６４３よりも屋外側に配置されている。支持壁部６４３の下端部は、支持壁部６４２の下端部よりも下方に位置している。
【００８６】
支持壁部６４３の下端部には、屋外側に向かって延びる係止壁部６４４が設けられている。
【００８７】
弁部６５０は、左右方向に延びる円柱状をなす軸部６５１と、軸部６５１から径方向外側に延びる弁本体６５２と、を有している。
【００８８】
軸部６５１は、支持壁部６４２、基板部６４１、支持壁部６４３及び係止壁部６４４によって形成される空間内に、回動自在に嵌合されている。
【００８９】
図１１は、弁部６５０を示す図であり、（ａ）左側（または右側）から見た図であり、（ｂ）屋内側（または屋外側）から見た図である。
図１１に示すように、弁本体６５２の一方側の面には、左右方向の両端部及び下端部（軸部６５１側と反対側の端部）に、気密材６５３が設けられている。弁部６５０は、気密材６５３が屋内側を向くように配置されている。
【００９０】
図５に示すように、弁部６５０は、左右方向及び上下方向（鉛直面）に沿って配置された姿勢の閉位置から、軸部６５１を中心に回動して、下端部を屋外側に向けるように屋外側に傾斜した姿勢の開位置（二点鎖線参照）まで回動可能とされている。
【００９１】
閉位置では、弁部６５０は、上フレーム６１と下フレーム６２との間、詳細には上フレーム６１の上フレーム板部６１１と下フレーム６２の上向きリブ６２２との間の空間Ｐ１を閉塞している。弁部６５０の気密材６５３は、側方リブ６３４の屋外側を向く面及び上向きリブ６２２の屋外側を向く面に当接している。開位置では、空間部Ｐ１が開放されている。
【００９２】
図６に示すように、第二回動弁体６６は、第一回動弁体６４の軸受け部６４０及び弁部６５０を、屋内外方向の向きを反転させて設置されている。
【００９３】
第二回動弁体６６において、軸受け部６４０の支持壁部６４２は、支持壁部６４３よりも屋内側に配置されている。弁部６５０は、気密材６５３が屋外側を向くように配置されている。
【００９４】
弁部６５０は、左右方向及び上下方向（鉛直面）に沿って配置された姿勢の閉位置から、軸部６５１を中心に回動して、下端部を屋内側に向けるように屋内側に傾斜した姿勢の開位置（二点鎖線参照）まで回動可能とされている。
【００９５】
閉位置では、弁部６５０は、上フレーム６１と下フレーム６２との間、詳細には上フレーム６１の上フレーム板部６１１と下フレーム６２の上向きリブ６２２との間の空間Ｐ１を閉塞している。弁部６５０の気密材６５３は、側方リブ６３４の屋内側を向く面及び上向きリブ６２２の屋内側を向く面に当接している。開位置では、空間部Ｐ１が開放されている。
【００９６】
図９に示すように、第一回動弁体６４が設置される部分の左右方向の長さＬ１は、第二回動弁体６６が設置される部分の左右方向の長さＬ２と長さＬ３との合計よりも長い。第一回動弁体６４が設置される部分の空間部Ｐ１の高さＨ１（図５参照。以下同じ。）と、第二回動弁体６６が設置される部分の空間部Ｐ１の高さＨ２（図６参照。以下同じ。）は同じである。よって、第一回動弁体６４が設置される部分の総開口面積（Ｌ１×Ｈ１程度）は、第二回動弁体６６が設置される部分の総開口面積（（Ｌ２＋Ｌ３）×Ｈ２程度）よりも大きい。なお、総開口面積とは、各回動弁体が設置される部分の開口面積の合計のことである。
【００９７】
図５に示すように、カバー体７０は、上カバー７１と、下カバー７２と、を有している。カバー体７０は、換気機構６０の第一回動弁体６４、第二回動弁体６６（図６参照。以下同じ。）及び方立６３よりも屋内側に配置されている。
【００９８】
上カバー７１は、上フレーム６１の左右方向の全長にわたって設けられている。上カバー７１は、上側板部７１１と、上向き板部７１２と、下向き板部７１３と、を有している。
【００９９】
上側板部７１１は、平板状に形成され、板厚方向を上下方向に向けて配置されている。上側板部７１１は、上フレーム６１の上フレーム板部６１１の下面に沿って配置される。
【０１００】
上向き板部７１２は、上側板部７１１の屋内側の端部から上方に向かって延びている。上向き板部７１２は、上フレーム６１の上向き片６１３の屋内側を向く面に沿って配置されている。
【０１０１】
下向き板部７１３は、平板状に形成され、板厚方向を屋内外方向に向けて配置されている。下向き板部７１３は、上側板部７１１の屋外側の端部から下方に向かって延びている。下向き板部７１３は、方立６３の屋内側を向く前後壁部６３３に沿って配置されている。
【０１０２】
上カバー７１は、上側板部７１１の下方から螺子７１４で上フレーム６１の上フレーム板部６１１に固定されている。上カバー７１は、第一回動弁体６４及び第二回動弁体６６の屋内側に間隔を有して配置されている。
【０１０３】
下カバー７２は、下フレーム６２の左右方向の全長にわたって設けられている。下カバー７２は、上カバー７１の鉛直下方に配置されている。下カバー７２は、下側板部７２１と、上向き板部７２２と、下向き板部７２３と、を有している。
【０１０４】
下側板部７２１は、平板状に形成され、板厚方向を上下方向に向けて配置されている。下側板部７２１は、下フレーム６２の下フレーム板部６２１の上面に沿って配置される。下側板部７２１の屋外側の端部は、方立６３の屋内側を向く前後壁部６３３の近傍まで達している。
【０１０５】
上向き板部７２２は、下側板部７２１の屋内側の端部から上方に向かって延びている。上向き板部７２２は、上カバー７１の上向き板部７１２の直下に配置されている。
【０１０６】
上向き板部７２２は、上カバー７１の下向き板部７１３よりも屋内側に配置されている。また、上向き板部７２２の上端部は、下向き板部７１３の下端部よりもわずかに下方に配置されている（屋内外方向から見て重なって配置されていない）。
【０１０７】
下向き板部７２３は、平板状に形成され、板厚方向を屋内外方向に向けて配置されている。下向き板部７２３は、上枠４１の屋内側の端部に沿って配置されている。
【０１０８】
下カバー７２は、下側板部７２１の上方から螺子７２４で下フレーム６２の下フレーム板部６２１に固定されている。下カバー７２は、第一回動弁体６４及び第二回動弁体６６の屋内側に間隔を有して配置されている。
【０１０９】
空気の流入量を確保するために、以下の間隔を全て等間隔または基準の間隔（長さ）よりも広くしている。上側板部７１１から上向き板部７２２の上端部までの間隔、上向き板部７２２から下向き板部７１３までの間隔、下側板部７２１から下向き板部７１３の下端部までの間隔、空間部Ｐ１の上下方向の長さ、上フレーム６１の下向き片６１４の下端部から下フレーム６２の上向き片６２４の上端部までの間隔、第一回動弁体６４の弁部６５０が開位置にあるときの弁部６５０と下フレーム板部６２１との間隔、第一回動弁体６４の弁部６５０が開位置にあるときの弁部６５０の下端部と下フレーム６２の上向き片６２４の上端部までの間隔、第二回動弁体６６の弁部６５０が開位置にあるときの弁部６５０の下端部と下側板部７２１の間隔。
【０１１０】
また、図６に示すように、第二回動弁体６６の弁部６５０が開位置にあるときに、弁部６５０の下端部と下側板部７２１とは基準の間隔よりも広く設けられているため、弁部６５０が上カバー７１に接触しても十分か換気量を確保することができる構成となっている。
【０１１１】
上記の換気ユニット６を上額縁Ｒに取り付ける際には、予め換気ユニット６を組み立てておく。まず、上フレーム６１の屋内側の端部に上カバー７１を設置して、下方から螺子７１４で固定する。下フレーム６２の屋内側の端部に下カバー７２を設置して、上方から螺子７２４で固定する。そして、下フレーム６２上にシート材６２９を設置して、その上に方立６３を設置する。螺子６２１ｄ，６２１ｅを下フレーム６２の取付孔６２１ａ，６２１ｃに挿通させ、方立６３の螺子螺合部６３９の下部に螺合させる。次に、方立６３上に上フレーム６１を設置する。螺子６１１ｃ，６１１ｄを上フレーム６１の取付孔６１１ａ，６１１ｂに挿通させ、方立６３の螺子螺合部６３９の上部に螺合させる。
【０１１２】
次に、螺子６１２を、下フレーム６２の作業用孔６２１ｂ及びシート材６２９の貫通孔６２９ｂに挿通させて、上フレーム６１を上額縁Ｒに螺子止めする。これにより、換気ユニット６が上額縁Ｒに取り付けられる。
【０１１３】
次に、内窓４の上枠４１について説明する。
図５に示すように、上枠４１は、上枠板部４１１と、上枠板部４１１から下方に延びる屋外側突出部４１２、屋内側突出部４２２及び下向き枠壁部４２９と、を有している。屋外側突出部４１２、屋内側突出部４２２、下向き枠壁部４２９は、この順に屋外側から屋内側に向かって配置されている。
【０１１４】
上枠板部４１１は、平板状に形成され、板厚方向を上下方向に向けて配置されている。上枠板部４１１は、下フレーム６２の下フレーム板部６２１に沿って配置されている。
【０１１５】
屋外側突出部４１２は、上枠板部４１１から下方に延び、屋内外方向に間隔を有して配置された一対の屋外側突出枠壁部４１３，４１４と、一対の屋外側突出枠壁部４１３，４１４の下端部どうしを連結する屋外側連結枠壁部４１５と、を有している。屋外側突出枠壁部４１３は、屋外側突出枠壁部４１４よりも屋外側に配置されている。
【０１１６】
屋内側突出部４２２は、上枠板部４１１から下方に延び、屋内外方向に間隔を有して配置された一対の屋内側突出枠壁部４２３，４２４と、一対の屋内側突出枠壁部４２３，４２４の下端部どうしを連結する屋内側連結枠壁部４２５と、を有している。屋内側突出枠壁部４２３は、屋内側突出枠壁部４２４よりも屋外側に配置されている。
【０１１７】
下向き枠壁部４２９は、平板状に形成され、板厚方向を屋内外方向に向けて配置されている。
【０１１８】
上枠板部４１１には、屋外側突出部４１２と屋内側突出部４２２との間に、上下方向に貫通する複数の取付孔４３６が形成されている。取付孔４３６に挿通された螺子４３９が、下フレーム６２に螺合されている。取付孔４３６は、平面視で、方立６３の空間部Ｒ２と重なって配置されている。
【０１１９】
次に、内窓４の外障子５０Ａの上框５２について説明する。
上框５２は、屋外側に配置される上外板部５２１と、屋内側に配置される上内板部５２２と、上外板部５２１と上内板部５２２とを連結する上連結板部５２３と、を有している。
【０１２０】
上外板部５２１及び上内板部５２２は、平板状に形成され、板厚方向を屋内外方向に向けて配置されている。
【０１２１】
上連結板部５２３は、平板状に形成され、板厚方向を上下方向に向けて配置されている。上連結板部５２３は、上外板部５２１の上下方向の中間と上内板部５２２の上下方向の中間とを連結している。
【０１２２】
上外板部５２１の上端部には、屋内側に向かって延びる延出壁部５２６が設けられている。延出壁部５２６の屋内側の端部には、下方に向かって延びる取付壁部５２７が設けられている。
【０１２３】
取付壁部５２７の屋内側の面には、気密材５２９が設けられている。気密材５２９は、取付壁部５２７に固定される固定部５２９ａと、固定部５２９ａの下端部から屋内側に向かうにしたがって次第に上方に向かって延びる気密片５２９ｂと、を有している。気密片５２９ｂの屋内側の端部（上端部）は、上枠４１の屋外側突出枠壁部４１３の屋外側の面に当接している。
【０１２４】
上内板部５２２の上端部には、屋外側に向かって延びる延出壁部５３６が設けられている。延出壁部５３６の屋外側の端部には、下方に向かって延びる取付壁部５３７が設けられている。
【０１２５】
取付壁部５３７の屋外側の面には、気密材５３９が設けられている。気密材５３９は、取付壁部５３７に固定される固定部５３９ａと、固定部５３９ａの下端部から屋外側に向かうにしたがって次第に上方に向かって延びる気密片５３９ｂと、を有している。気密片５３９ｂの屋外側の端部（上端部）は、上枠４１の屋外側突出枠壁部４１４の屋内側の面に当接している。
【０１２６】
内窓４の内障子５０Ｂの上框５２の構成は、外障子５０Ａの上框５２の構成と同様であり、同様に構成については同一の符号を付して説明を省略する。内窓４の内障子５０Ｂにも、気密材５２９，５３９が設けられている。気密材５２９の気密片５２９ｂの屋内側の端部（上端部）は、上枠４１の屋内側突出枠壁部４２３の屋外側の面に当接している。気密材５３９の気密片５３９ｂの屋外側の端部（上端部）は、上枠４１の屋内側突出枠壁部４２４の屋内側の面に当接している。
【０１２７】
次に、上記の二重サッシ１００において、負圧が生じた際の空気の流れや圧力について説明する。
外窓１及び内窓４が閉塞された閉塞状態で、負圧が生じると、内窓４では、図５に二点鎖線で示すように、第一回動弁体６４の弁部６５０は、軸部６５１を中心に回動して、下端部を屋外側に向けるように屋外側に傾斜した開位置まで回動する。これにより、空気が、屋内側から屋外側に流通する。なお、第二回動弁体６６の弁部６５０は、閉位置にある。
【０１２８】
図１２は、二重サッシ１００の外窓１において、負圧が生じた際の挙動を示す図である。
また、図１２に示すように、外窓１では、外障子２０Ａ及び内障子２０Ｂが負圧を受けて屋外側に変位すると、外障子２０Ａの振れ止め部材２２４の屋内側振れ止め部２２４ｃが上枠１１の屋外側突出枠壁部１１３の屋内側の面に当接する。また、内障子２０Ｂの振れ止め部材２２５の屋内側振れ止め部２２５ｃが上枠１１の屋内側突出枠壁部１１４の屋内側の面に当接する。外障子２０Ａ及び内障子２０Ｂの上内板部２２２と屋外側突出枠壁部１１３及び屋内側突出枠壁部１１４との間には、それぞれ隙間Ｓ１が生じている。
【０１２９】
また、外障子２０Ａ及び内障子２０Ｂの気密材２２９と屋外側突出枠壁部１１３及び屋内側突出枠壁部１１４との間には、それぞれ形成される隙間Ｓ２が生じている。
【０１３０】
図１２では外障子２０Ａ及び内障子２０Ｂの上外板部２２１、上内板部２２２及び上連結板部２２３の左右方向の両端部側の挙動を二点鎖線で示し、上外板部２２１、上内板部２２２及び上連結板部２２３の左右方向の中央側の挙動を実線で示している。外障子２０Ａ及び内障子２０Ｂの左右方向の両端部側では、振れ止め部材２２４の屋内側振れ止め部２２４ｃ及び振れ止め部材２２５の屋内側振れ止め部２２５ｃがそれぞれ屋外側突出枠壁部１１３及び屋内側突出枠壁部１１４に当接して、外障子２０Ａ及び内障子２０Ｂの変位が抑制されている。外障子２０Ａ及び内障子２０Ｂの左右方向の中央側では、左右方向の両端部側よりも、屋外側に撓むように変位している。これにより、隙間Ｓ２は、左右方向の中央側で大きくなっている。
【０１３１】
上記のように内窓４を通過してきた空気は、内窓４と外窓１との間から、外窓１の内障子２０Ｂの上框２２の上内板部２２２と屋内側突出枠壁部１１４との間の隙間Ｓ１を通過して、上框２２の気密材２２９と上枠１１の屋内側突出枠壁部１１４との間の隙間Ｓ２を通過する。さらに、空気は、外障子２０Ａの上框２２の上内板部２２２と屋外側突出枠壁部１１３との間の隙間Ｓ１を通過して、上框２２の気密材２２９と上枠１１の屋外側突出枠壁部１１３との間の隙間Ｓ２を通過する。
【０１３２】
このように、内窓４から外窓１まで、連通して隙間（空気の流路）が生じるため、内窓４の屋内側と屋外側との圧力差が低減される。
【０１３３】
また、正圧が生じると、内窓４では、図６に二点鎖線で示すように、第二回動弁体６６の弁部６５０は、軸部６５１を中心に回動して、下端部を屋内側に向けるように屋内側に傾斜した開位置まで回動する。これにより、空気が、屋外側から屋内側に流通する。なお、第一回動弁体６４の弁部６５０は、閉位置にある。なお、外窓１では、不図示の風止め板と障子２０Ａ，２０Ｂ等の隙間等各隙間から空気の流通が可能である。
【０１３４】
このように構成された二重サッシ１００では、開口部Ｐの上額縁Ｒと上枠４１との間に形成された隙間Ｒ１には、金属材料で形成された換気機構６０が設けられている。開口部Ｐの上額縁Ｒに沿って上フレーム６１が配置され、上枠４１に沿って下フレーム６２が配置され、上フレーム６１と下フレーム６２とは方立６３で連結されている。方立６３の内部には上下方向に貫通する空間部Ｒ２が形成され、上枠４１を下フレーム６２に固定する螺子４３９は平面視で空間部Ｒ２と重なって配置されている。方立６３内（空間部Ｒ２）は空気の流通がなく結露がしにくく、螺子４３９の上部は空間部Ｒ２に挿通されているため、螺子４３９を介して結露水が屋内側に漏れ出てくることが抑制される。
【０１３５】
また、下フレーム６２と連結する螺子４３９が挿通される取付孔４３６は、平面視で、方立６３の空間部Ｒ２と重なって配置されている。よって、取付孔４３６から結露水が屋内側に漏れ出てくることが抑制される。
【０１３６】
また、上フレーム６１を開口部Ｐの上額縁Ｒに固定する螺子６１２は、方立６３で覆われている。方立６３内（空間部Ｒ２）は空気の流通がなく結露がしにくく、螺子６１２の下部は空間部Ｒ２に挿通されているため、螺子６１２を介して結露水が屋内側に漏れ出てくることが抑制される。
【０１３７】
また、下フレーム６２に形成された螺子６１２を固定作業するための作業用孔６２１ｄは、平面視で、螺子４３９と異なる位置に形成されている。通常、固定作業用の作業用孔は螺子孔よりも大きすぎたりするため螺子を螺合させることができないところ、本実施形態では、作業用孔６２１ｄが螺子４３９の螺子止め位置とは異なる位置に形成されているため、螺子４３９を作業用孔６２１ｄとは異なる孔（取付孔６２１ｂ）に螺合させることができる。
【０１３８】
また、上フレーム６１に設けられた弁部６５０に圧力等が作用すると、弁部６５０が左右方向を軸線方向として回動して、上フレーム６１と下フレーム６２との間の空間Ｐ１が開放され、空気を屋内外方向に流通させることができる。
【０１３９】
また、下フレーム６２と方立６３との間には、止水性が高いシート材６２９が設けられていているため、螺子４３９を介して結露水が屋内側に漏れ出てくることがより一層抑制される。
【０１４０】
（変形例１）
次に、本発明の一実施形態の変形例１について、主に図１３を用いて説明する。
なお、以下の説明において、前述した部材と同一の部材には同一の符号を付して、その説明を省略する。
図１３は、本発明の一実施形態の変形例１に係る二重サッシの換気機構の一部を示す斜視図である。なお、図１３において、第一回動弁体６４（図５参照。以下同じ。）及び第二回動弁体６６（図６参照。以下同じ。）の図示を省略している。
図１３に示すように、本変形例の換気ユニット６Ｘでは、上フレーム６１Ｘの屋内側の端部及び下フレーム６２Ｘの屋内側の端部に跨って設けられたカバー部材７０Ｘを有している。
【０１４１】
上フレーム６１Ｘの屋外側の端部には、上方に向かって開口する係止溝６６０が形成されている。係止溝６６０は、上フレーム６１の上フレーム板部６１１の屋内側の端部から下方に向かって延びる下向き壁部６６１と、下向き壁部６６１の下端部から屋内側に向かって延びる延出壁部６６２と、延出壁部６６２の屋内側の端部から上方に向かって延びる端部壁部６６３と、を有している。
【０１４２】
下フレーム６２Ｘの屋外側の端部には、下方に向かって開口する係止溝６７０が形成されている。係止溝６７０は、下フレーム６２の下フレーム板部６２１の屋内側の端部から上方に向かって延びる上向き壁部６７１と、上向き壁部６７１の上端部から屋内側に向かって延びる延出壁部６７２と、延出壁部６７２の屋内側の端部から下方に向かって延びる端部壁部６７３と、を有している。
【０１４３】
カバー部材７０Ｘは、左右方向及び上下方向に沿う面に沿って配置される換気板部７０１を有している。換気板部７０１は、平板状に形成され、板厚方向を屋内外方向に向けて配置されている。
【０１４４】
換気板部７０１には、屋内外方向に貫通する換気孔７０２が、左右方向に間隔を有して複数形成されている。換気孔７０２は、上下方向に長い長孔形状をなしている。換気孔７０２を通して、空気の屋内外方向の流通が可能となる。
【０１４５】
換気板部７０１の上端部には、係止部７０３が設けられている。係止部７０３は、換気板部７０１の上端部から屋外側に向かって延びる延出壁部７０４と、延出壁部７０４の屋外側の端部から下方に向かって延びる下向き壁部７０５と、を有している。
【０１４６】
係止部７０３の下向き壁部７０５は、上フレーム６０Ｘの上端部に設けられた係止溝６６０に係止されている。
【０１４７】
換気板部７０１の下端部には、係止部７０７が設けられている。係止部７０７は、換気板部７０１の下端部から屋外側に向かって延びる延出壁部７０８と、延出壁部７０８の屋外側の端部から上方に向かって延びる上向き壁部７０９と、を有している。
【０１４８】
係止部７０７の上向き壁部７０９は、上フレーム６０Ｘの下端部に設けられた係止溝６７０に係止されている。
【０１４９】
このように構成された二重サッシ１００では、開口部Ｐの上額縁Ｒと上枠４１との間に形成された隙間Ｒ１には、金属材料で形成された換気機構６０が設けられている。開口部Ｐの上額縁Ｒに沿って上フレーム６１が配置され、上枠４１に沿って下フレーム６２が配置され、上フレーム６１と下フレーム６２とは方立６３で連結されている。方立６３の内部には上下方向に貫通する空間部Ｒ２が形成され、上枠４１を下フレーム６２に固定する螺子４３９は平面視で空間部Ｒ２と重なって配置されている。よって、方立６３内（空間部Ｒ２）は空気の流通がなく結露がしにくく、螺子４３９の上部は空間部Ｒ２に挿通されているため、螺子４３９を介して結露水が屋内側に漏れ出てくることが抑制される。
【０１５０】
（変形例２）
次に、本発明の一実施形態の変形例２について、主に図１４を用いて説明する。
図１４は、本発明の一実施形態の変形例２に係る二重サッシの換気機構の一部を示す斜視図である。
上記に示す実施形態では、方立６３Ｙの側壁部６３２には、側壁部６３２と一体に側方リブ６３４が設けられているが、本変形例では、図１４に示すように、Ｌ金具６３５が側壁部６３２に螺子止めされている。
【０１５１】
Ｌ金具６３５は、側壁部６３２の外面に沿って配置される取付壁部６３６と、取付壁部の屋内側の端部から、側方に向かって突出する突出壁部６３７と、を有している。取付壁部６３６は、方立６３Ｙの側壁部６３２に螺子６３８で固定されている。第一回動弁体６４の弁部６５０に設けられた気密材６５３（図７参照。以下同じ。）は、突出壁部６３７の屋外側を向く面に当接可能とされている。また、第二回動弁体６６の弁部６５０に設けられた気密材６５３は、突出壁部６３７の屋内側を向く面に当接可能とされている。
【０１５２】
このように構成された二重サッシ１００では、開口部Ｐの上額縁Ｒと上枠４１との間に形成された隙間Ｒ１には、金属材料で形成された換気機構６０が設けられている。開口部Ｐの上額縁Ｒに沿って上フレーム６１が配置され、上枠４１に沿って下フレーム６２が配置され、上フレーム６１と下フレーム６２とは方立６３で連結されている。方立６３の内部には上下方向に貫通する空間部Ｒ２が形成され、上枠４１を下フレーム６２に固定する螺子４３９は平面視で空間部Ｒ２と重なって配置されている。よって、方立６３内（空間部Ｒ２）は空気の流通がなく結露がしにくく、螺子４３９の上部は空間部Ｒ２に挿通されているため、螺子４３９を介して結露水が屋内側に漏れ出てくることが抑制される。
【０１５３】
なお、上述した実施の形態において示した各構成部材の諸形状や組み合わせ等は一例であって、本発明の主旨から逸脱しない範囲において設計要求等に基づき種々変更可能である。
【０１５４】
例えば、上記に示す実施形態では、設置体として換気機構を例に挙げて説明したが、本発明はこれに限られず、他の機能を有する装置等であってもよい。
【０１５５】
また、上記に示す実施形態では、外窓１は引違いサッシであるが、本発明はこれに限られない。外窓は、圧力が生じた際に、空気を屋内外方向へ流通可能となればよく、片引戸や上げ下げ窓であってもよい。
【０１５６】
また、上記に示す実施形態では、外窓１及び内窓４のガラス２９，５９は、それぞれ単層の板ガラスであるが、本発明はこれに限られず、複層ガラス等であってもよい。
【符号の説明】
【０１５７】
１…外窓
４…内窓
６…換気ユニット
１０，４０…枠体
１１，４１…上枠
１２，４２…下枠
１３，４３…縦枠
２０Ａ，５０Ａ…外障子
２０Ｂ，５０Ｂ…内障子
２１，５１…框体
２２，５２…上框
２３，５３…下框
２４，５４…戸先框
２５，５５…召合せ框
２７，５７…ガラス保持溝
２９，５９…ガラス
３０…網戸
６０…換気機構（設置体）
６１…上フレーム（上部材）
６２…下フレーム（下部材）
６３…方立（連結部材）
６４…第一回動弁体
６６…第二回動弁体
７０…カバー体
７１…上カバー
７２…下カバー
１００…二重サッシ
４３６…取付孔（挿通孔）
４３９…螺子（下側固定螺子）
６１２…螺子（上側固定螺子）
６２１ｂ…作業用孔（上側固定螺子の固定作業用の貫通孔）
６２９…シート材
６５０…弁部
７１３…下向き板部
７２２…上向き板部
Ｐ…開口部
Ｒ１…隙間
Ｒ２…空間部
Ｗ…壁部
【図１】
2019120023.tif 000003
【図２】
2019120023.tif 000004
【図３】
2019120023.tif 000005
【図４】
2019120023.tif 000006
【図５】
2019120023.tif 000007
【図６】
2019120023.tif 000008
【図７】
2019120023.tif 000009
【図８】
2019120023.tif 000010
【図９】
2019120023.tif 000011
【図１０】
2019120023.tif 000012
【図１１】
2019120023.tif 000013
【図１２】
2019120023.tif 000014
【図１３】
2019120023.tif 000015
【図１４】
2019120023.tif 000016